(57)【要約】【課題】色比較の点に関して改善がなされそれにもかかわらず低コストに製造可能であるとともに比較的広いスペクトルを供給する歯科用カラーキーを提供する。【解決手段】異なった歯色を有する少なくとも２個のカラーパターンあるいはカラーサンプルを含んでなる歯科用カラーキーとする。前記カラーキー（１０）の総面積が２本の歯の頬側面および／または唇側面、すなわち前庭面よりも小さく、各カラーパターン（１２）が互いに隣接して存在し、特に１本の歯の上に取り付けられる。【選択図】図３
2010274121.tif 000002
【特許請求の範囲】
【請求項１】
異なった歯色を有する少なくとも２個のカラーパターンあるいはカラーサンプルを含んでなる歯科用カラーキーであり、前記カラーキーの総面積が２本の歯の頬側面および／または唇側面、すなわち前庭面よりも小さく、各カラーパターンあるいはサンプルが互いに隣接して存在する歯科用カラーキー。
【請求項２】
歯の頬側および／または唇側面より小さな面積をカラーキーが有する請求項１記載の歯科用カラーキー。
【請求項３】
カラーキーが少なくとも４個、特に１６個の異なった既知の歯科用カラーパターンあるいはサンプルを有する請求項１または２記載の歯科用カラーキー。
【請求項４】
カラーキーのカラーパターンあるいはサンプルが歯色に準じて着色された補綴材料から形成される請求項１ないし３のいずれかに記載の歯科用カラーキー。
【請求項５】
カラーキーのカラーパターンあるいはサンプルが多様な色相および不透明度を有する請求項１ないし４のいずれかに記載の歯科用カラーキー。
【請求項６】
カラーキーのカラーパターンあるいはサンプルが１つの色相の類似の各歯色に相当する請求項１ないし５のいずれかに記載の歯科用カラーキー。
【請求項７】
ブリーチング色および／または歯肉色に相当する少なくとも１個のカラーサンプルをカラーキーが有する請求項１または２記載の歯科用カラーキー。
【請求項８】
カラーキーを分析される歯の周縁領域上に配置するかあるいは取り外し可能に取り付けることができる請求項１ないし７のいずれかに記載の歯科用カラーキー。
【請求項９】
カラーキーが特にカメラと協働作用するスペーサの一部を形成する請求項１ないし８のいずれかに記載の歯科用カラーキー。
【請求項１０】
カラーキーと分析される歯の頬側面および／または唇側面が実質的に同じ平面内に延在する請求項１ないし９のいずれかに記載の歯科用カラーキー。
【請求項１１】
カラーキーが少なくとも１本の歯の上あるいは上顎および下顎の２本の歯の間に、特に機械式あるいは接着式で、取り外し可能に取り付けられる請求項１ないし１０のいずれかに記載の歯科用カラーキー。
【請求項１２】
カラーキーが０．０１ｍｍないし６ｍの厚みを有し特に印刷されたフィルムとして形成され、前記フィルムが歯の表面から残留物無しに取り外し可能な接着剤を備える請求項１ないし１１のいずれかに記載の歯科用カラーキー。
【請求項１３】
少なくともカラーパターンあるいはサンプルを少なくとも部分的にセラミック材料および／または歯科用複合材料から形成する請求項１ないし１２のいずれかに記載の歯科用カラーキー。
【請求項１４】
カラーパターンあるいはサンプルを境界が連続的に融合するように形成する請求項１ないし１３のいずれかに記載の歯科用カラーキー。
【請求項１５】
カラーパターンあるいはサンプルを境界が連続的に融合するものではなく不連続に存在するように形成する請求項１ないし１４のいずれかに記載の歯科用カラーキー。
【発明の詳細な説明】
【技術分野】
【０００１】
この発明は請求項１前文に記載の歯科用カラーキーに関する。
【背景技術】
【０００２】
この種の歯科用カラーキーは以前から知られており、その一例が独国実用新案登録第Ｕ８３２９４４１号明細書に記載されたカラーキーである。この種のカラーキーによれば、変遷する歯色を有する少なくとも２つの異なったパターンあるいはサンプルを使用し、それを修復する歯に隣接する歯の直近に設置する。各カラーサンプルは通常歯と略等しい面積を有し、またしばしばその表面の曲率が歯と同様にされる。
【０００３】
この種の歯科用カラーキーのさらに新しい例は独国特許第１０５０９８３０Ｃ２号明細書および欧州特許出願公開第１００２５０２Ａ２号明細書によって知られている解決方式あるいは提案である。これらの解決方式あるいは提案によって事実個々のカラーパターンあるいはサンプルの操作性が改善され、そのため歯科医師による自然歯と対比したカラーサンプルの判定も改善された。しかしながら、比較の結果は歯科医師の主観的な印象あるいは個人的な意見に大きく依存し、さらに特にカラーキーのカラーサンプルが歯の直近に設置された場合照明状況にも大きく依存する。
【０００４】
特に好適であるとされるカラーパターンあるいはサンプルの曲率のため明確に三次元化されたカラーパターンあるいはサンプルの設計あるいは形成が求められ、従って歯の直近に保持したとしても小さな色棒が明確に突立する。そのことによっても、カラーサンプルと歯が決して同じ光学平面内に存在しないためそれらの間で既に異なった照明条件が必要となる。
【０００５】
判定に対する人為的な影響を排除するために、現存する歯色を歯科用カメラ捕捉し適宜な歯色をＡ２，Ａ３のように電子的に選択することが提案されている。しかしながらその種の解決方式のためには複雑な校正ステップを実施することが必要となる。その種の電子色検出装置は比較的高価であり、従って大手の歯科診療所のみで導入が検討される。
【０００６】
既知のカラーキーは純粋に場所的な制約から通常最も一般的な歯色のみを含み、それには例えばブリーチング色は含まれず、さらには歯肉色も全く含まれない。
【先行技術文献】
【特許文献】
【０００７】
【特許文献１】独国実用新案登録第Ｕ８３２９４４１号明細書
【特許文献２】独国特許第１０５０９８３０Ｃ２号明細書
【特許文献３】欧州特許出願公開第１００２５０２Ａ２号明細書
【発明の概要】
【発明が解決しようとする課題】
【０００８】
従って本発明の目的は、色比較の点に関して改善がなされそれにもかかわらず低コストに製造可能であるとともに比較的広いスペクトルを供給するものである請求項１前文に記載の歯科用カラーキーを提供することである。
【課題を解決するための手段】
【０００９】
前記の課題は本発明に従って請求項１によって解決される。従属請求項によって好適な追加構成が定義される。
【００１０】
本発明に係るカラーキーは、複数あるいは多数のカラーパターンあるいはサンプルを含み、色判定される直近の一本の歯の周縁領域内に配置可能であることを特徴とする。そのためカラーキーに近接したその歯の領域を既に比較の目的で使用することができる。
【００１１】
複数のカラーパターンあるいはサンプルが歯に隣接することによって比較が明確に改善され、すなわち直近で比較することにより異なった色棒を次々と歯に近接して設置し使用者の記憶に頼る場合に比べて比較が大幅に改善される。
【００１２】
色パターンあるいはサンプルが極めて小さいため、そのカラーパターンあるいはサンプルを判定される歯の表面に近接して設置することもできる。その突出は顕著なものではなく、従ってカラーパターンあるいはサンプルが対象となる歯の表面と実質的に同一平面内に設置されているとみなすことができる。
【００１３】
しかしながら本発明によれば、ミニアチュア化したカラーキーを隣接する歯に取り付けあるいは固定することが好適であり、前記の取り付け部は判定される歯の中央領域ならびに周縁領域の両方が前記ミニアチュア化されたカラーキーの横で目視可能となるように選択することが好適である。
【００１４】
例えば、上顎の歯と下顎の歯の間にカラーキーを配置してそれを隣接する歯との色比較のために使用することも可能である。本発明に係るカラーキーにクリップを設けそれによってカラーキーを歯堤の多様な位置に取り付け得るようにすることも可能である。本発明に係るカラーキーは小型かつ軽量とすることが好適であり、６ｍｍ未満、特に０．５ｍｍ未満の厚みを有するものとされる。カラーパターンあるいはサンプルは格子状あるいはラスタ状、特にマトリクス状に配置することが好適であり、それによって簡便な配分が可能になる。
【００１５】
このことは、互いに反対側に位置する側縁部上にブリーチング色あるいは歯肉色等の特別色が設けられている場合にも該当する。
【００１６】
標準的なカラーキーは４個、特に１６個のカラーパターンあるいはサンプルを含むことが好適であり、必要に応じてそれに近接してブリーチング色および歯肉色を有するリッジが取り付けられる。
【００１７】
本発明に係るカラーキーの好適な実施形態によれば、歯の前庭面よりも小さな表面積をカラーキーが有する。このことは特に門歯に対して、すなわち門歯の唇側面に対して有効である。
【００１８】
１つのカラーキー内に１６個の異なったカラーパターンあるいはサンプルを設けることが好適であるが、変更された実施形態においてはその他の任意の数のカラーパターンを設け得ることも理解される。このことは特に、カラーパターンあるいはサンプルが不連続式に配列されるのではなく境界が連続的に融合するように構成される場合に有効である。基本的にカラーキーの中央に穴部を残すことも可能であり、それを介して歯の前庭面を目視可能としそれによって“境界距離”が可能な限り小さく保持される。
【００１９】
カラーキーのカラーパターンあるいはサンプルは互いに緊密に前後あるいは上下に隣接して１本の歯の上に取り付けることが好適である。それによって近接した距離のため極めて良好な比較が達成される。他方、境界が連続的に融合するかあるいは互いに不連続に配列された個々のカラーパターンあるいはサンプルの視覚的な分離を可能にする分離線あるいは分離ストライプを設けることもできる。
【００２０】
カラーキーのカラーパターンあるいはサンプルは任意の形式で形成することができ、例えば不透明材料および／または象牙質によって補強することもできる。
【００２１】
本発明によれば、歯の頬側および／または唇側面より小さな面積を歯科用カラーキーが有することが極めて好適である。
【００２２】
本発明によれば、カラーキーが少なくとも４個、特に１６個の異なった既知の歯科用カラーパターンあるいはサンプルを有することが極めて好適である。
【００２３】
本発明によれば、カラーキーのカラーパターンあるいはサンプルが歯色に準じて着色された補綴材料から形成されることが好適である。
【００２４】
本発明によれば、カラーキーのカラーパターンあるいはサンプルが多様な色相および不透明度を有することが極めて好適である。
【００２５】
本発明によれば、カラーキーのカラーパターンあるいはサンプルが１つの色相の類似の各歯色に相当することが極めて好適である。
【００２６】
本発明によれば、カラーキーがブリーチング色および／または歯肉色に相当する少なくとも１個のカラーサンプルを有することが極めて好適である。
【００２７】
本発明によれば、分析される歯の周縁領域上に配置するかあるいは取り外し可能に取り付けることができることが極めて好適である。
【００２８】
本発明によれば、カラーキーが特にカメラと協働作用するスペーサの一部を形成することが極めて好適である。
【００２９】
本発明によれば、カラーキーと分析される歯の頬側面および／または唇側面が実質的に同じ平面内に延在することが極めて好適である。
【００３０】
本発明によれば、カラーキーが少なくとも１本の歯の上あるいは上顎および下顎の２本の歯の間に（特に機械式あるいは接着式で）取り外し可能に取り付けられることが極めて好適である。
【００３１】
本発明によれば、カラーキーが０．０１ｍｍないし６ｍの厚みを有し特に印刷されたフィルムとして形成されることが極めて好適である。
【００３２】
本発明によれば、フィルムが歯の表面から残留物無しに取り外し可能な接着剤を備えることが極めて好適である。
【００３３】
本発明によれば、少なくともカラーパターンあるいはサンプルを少なくとも部分的にセラミックから形成することが極めて好適である。
【００３４】
本発明によれば、少なくともカラーパターンあるいはサンプルを少なくとも部分的に歯科用複合材料から形成することが極めて好適である。
【００３５】
本発明によれば、カラーパターンあるいはサンプルを境界が連続的に融合するように形成することが極めて好適である。
【００３６】
本発明によれば、カラーパターンあるいはサンプルを境界が連続的に融合するものではなく不連続に存在するように形成することが極めて好適である。
【００３７】
本発明のその他の詳細、特徴ならびに利点は、添付図面を参照しながら以下に記述する本発明に係る歯科用カラーキーのいくつかの実施例の説明によって明らかにされる。
【図面の簡単な説明】
【００３８】
【図１】本発明に係る歯科用カラーキーの一実施例を概略的に示した立体図である。
【図２】本発明に係る歯科用カラーキーの別の実施例を示した上面図である。
【図３】本発明に係る歯科用カラーキーの歯への取り付け後の状態を示した上面図である。
【図４】本発明に係る歯科用カラーキーのさらに別の実施例の歯への取り付け後の状態を示した上面図である。
【図５】本発明に係る歯科用カラーキーの変更された構成を示した説明図である。
【図６】本発明に係る歯科用カラーキーの小型プレートあるいはディスクとして形成された別の実施例を示した説明図である。
【図７】フィルム状に形成されロール状に巻かれた歯科用カラーキーの複合構成を示した説明図である。
【図８】固定クリップを備えた図６の歯科用カラーキーを背面から示した説明図である。
【図９】歯科用カラーキーの多様な固定器具を示した説明図である。
【図１０】本発明に係る歯科用カラーキーと組み合わせて使用される歯色検査装置を示した説明図である。
【発明を実施するための形態】
【００３９】
図１に示されている本発明に係る歯科用カラーキー１０は、マトリクス状に配列された複数、例えば１６個のカラーパターン１２を含んでいる。各カラーパターンが市販あるいは標準の歯色、例えばＡ２，Ａ３，Ａ４等に相当し；また似ている歯色の順に隣接して配置することが好適である。
【００４０】
カラーパターン１２は小板状のカラーキー上に固定的に取り付けられる。そのためカラーキーが歯の上つまり歯の前庭面上に取り付けるために適した薄い基礎部材１４を有する。その取り付けは、基礎部材１４が少なくとも舌による軽い押し付けによって脱落することがないような方式の接着によって実施するか、あるいは歯、特に門歯を挟み付けそれによって所要の締め付け効果を達成するようなクリップによって実施することができる。
【００４１】
基礎部材をある程度柔軟に形成しそれによって基礎部材がいくらか湾曲した門歯の表面に極めて容易に整合し得るようにすることも可能である。基礎部材を歯よりも大幅に小さく、例えば半分ぐらいの幅とし、また顕著に薄く、例えば１／１０の単位より薄い厚みを有するように形成することが好適である。それによって本発明に係るカラーキー１０は歯の上に全面で着合することができ、またカラーパターン１２と歯の間で直接的な比較を行うことが可能になる。そのため充分な歯の前庭面の露出領域が残留し、その際勿論隣接する別の歯を本発明に係るカラーキー１０と比較することも容易に可能となる。
【００４２】
カラーキー１０のカラーパターン１２は歯色に応じて着色された補綴材料から形成することができる。カラーキー１０のカラーパターン１２は多様な色相と不透明度を含むこともできる。カラーキー１０のカラーパターン１２を境界が連続的に融合するように構成することもできる。
【００４３】
図１のカラーキーは１６個のカラーパターンを含んでいるが、本発明の別の実施例においては図２に示されているようにカラーキーが２８個のカラーパターンを含んでいる。このカラーキーは１６系統のカラーパターン１２に加えて４個のブリーチング色にそれぞれ相当する４個のカラーパターンと８個の歯肉色にそれぞれ相当する８個のカラーパターン１８を含んでいる。これらのカラーパターン１２および１８は図２に示された実施例において分離可能な基礎部材２０および２２によって構成され、その際両方の基礎部材２０および２２は基礎部材１４上に差し込み可能に保持される。図２の実施例のものに比べてより安価な達成が可能な現存材料によってカラーキー１６を実施することも可能である。
【００４４】
選択された図２の歯科用カラーキーの縦の構成によれば内部のカラーパターン１２の縁部離間距離が過度に大きくならないことが保証され、加えてカラーキー１０が歯の前庭面の上方で突立しないことが保証される。そのため図２に示されているようにカラーキー１０を垂直に取り付けることが好適である。さらに、歯肉色に相当するカラーパターン１８が頂端状に配置されるように基礎部材２２を構成することが好適である。
【００４５】
図３には、どのような方式で本発明に係るカラーキー１０を歯２４上に取り付けることができるかが示されている。図示された実施例においてカラーキー１０は歯の前庭面２６の中央に取り付けられ、従って露出面２８がカラーキー１０を全方向で囲周している。
【００４６】
視覚的な比較（直接的あるいは補助手段を介して）によってカラーサンプル１２と隣接する歯３２の表面３０の間の一致を検知し、それによって表面３０について歯色を確認して検知することが達成される。
【００４７】
写真支援を行う場合はそれを同じ撮影画像から実施することが極めて好適であり、その理由はその場合校正が不要で該当する歯色が自動的に検出されるためである。
【００４８】
図４には対咬歯３８の領域３６を検査するためにどのような方式でカラーキー１０が使用されるかが示されている。図示された実施形態においてカラーキー１０は歯の前庭面上の遠心側に取り付けられ、従って三方が比較的大きな露出面２６から形成され、それらが歯色の判定に極めて適している。
【００４９】
図５には、下顎の歯とそれの上顎対咬歯の両方を極めて良好に判定することを可能にする本発明に係る歯科用カラーキー１０の変更された構成形態が示されている。そのために図９の歯科用カラーキーが下顎の歯と上顎の歯の両方にクリップ固定され、それによって歯２４および歯３２の両方を同じ方式で判定することが可能になる。
【００５０】
図６には薄い小板の形状の基礎部材１４を備えた本発明に係る歯科用カラーキー１０が示されており、前記の小板は図８に示されているように背面に装着されたクリップ４０によって容易に歯に差し付けてそこで拘束することができる。
【００５１】
図７には本発明に係る歯科用カラーキーの変更された構成形態が示されている。それにおいては歯科用カラーキー１０がロール４２上に粘着シールのように装着され、裏側に粘着面が被覆された歯科用カラーキー１０を容易に共通の支持フィルム４４から剥がすことができるようにその支持フィルム４４が形成されている。
【００５２】
図９には図５の歯科用カラーキーの特殊な構成を可能にする二又クリップが示され、前記二又クリップ４０は図示されているように下顎の門歯と上顎の門歯の両方に嵌合することが可能であり、それら両方の歯を相互に所定の距離に維持する。
【００５３】
図１０には、レンズ５２およびＣＣＤセンサによって歯科用カラーキー１０の画像を歯２４と共に、より好適にはさらに隣接する歯３２と共に撮影および記憶する歯科分析装置５０が示されている。
【００５４】
上記の結果極めて好適な方式によって歯科分析装置５０の校正を省略することができる。
【００５５】
図１ないし図１０には示されていないが、本発明の別の実施形態によれば特に歯科用カメラと協働作用するスペーサ上に歯科用カラーキーを配置することもできる。
【符号の説明】
【００５６】
１０，１６  カラーキー
１２，１８  カラーパターン
１４，２０，２２  基礎部材
２４，３２  歯
２６  前庭面
２８  露出面
３０  表面
３２  歯
３６  領域
３８  対咬歯
４０  小板
４２  ロール
４４  支持フィルム
５０  歯科分析装置
５２  レンズ
【図１】
2010274121.tif 000003
【図２】
2010274121.tif 000004
【図３】
2010274121.tif 000005
【図４】
2010274121.tif 000006
【図５】
2010274121.tif 000007
【図６】
2010274121.tif 000008
【図７】
2010274121.tif 000009
【図８】
2010274121.tif 000010
【図９】
2010274121.tif 000011
【図１０】
2010274121.tif 000012